(57)【要約】      （修正有）【課題】使用前の段階では緩衝材が嵩張らないようにするとともに、使用の際には、必要量の緩衝材をスムーズに取り出し得る緩衝材収納容器を提供する。【解決手段】長尺ストレート状に裁断した紙製の緩衝材１と、この緩衝材１を同一方向に揃えつつ水平に積み重ねた状態で収納する箱体２とからなる。箱体２には取り出し口７が形成され、この取り出し口７から必要量の緩衝材１を取り出すことができる。【選択図】図１
0003179537.tif 000002
【実用新案登録請求の範囲】
【請求項１】
所定形状の緩衝材（１）と、この緩衝材（１）を同一方向に揃えつつ積み重ねた状態で収納する箱体（２）とを備え、この箱体（２）に収納した前記緩衝材（１）を必要量ずつ取り出し得るようにした緩衝材収納容器。
【請求項２】
前記緩衝材（１）が、長尺ストレート形状をしている請求項１に記載の緩衝材収納容器。
【請求項３】
前記箱体（２）に、前記緩衝材（１）を取り出す取り出し口（７）を形成した請求項１又は２に記載の緩衝材収納容器。
【考案の詳細な説明】
【技術分野】
【０００１】
この考案は、物品を箱詰め等する際に、物品と箱等との間の隙間に入れて、この物品のがたつきに伴う破損を防止する梱包用緩衝材を収納した緩衝材収納容器に関する。
【背景技術】
【０００２】
壊れやすい物品を箱詰め等する際には、この物品と箱等との間の隙間に緩衝材を入れておくことが多い。この緩衝材は、例えば長尺状に裁断した紙等の素材を適度に撓ませたものである。この緩衝材同士が三次元的に絡まり合うことによって、それらの間に間隙が形成される。そして、運搬等によって物品にがたつきが生じた際に、そのがたつきを前記間隙によって吸収する緩衝作用が発揮されて、この物品の破損等のトラブルが極力防止される。この緩衝材として様々な形状のものを採用し得るが、例えば特許文献１に示す緩衝材は、紙片を短冊状に裁断した上で袋に封入し、この袋ごと物品と箱の間の隙間に詰めるようにしている。このように袋に封入せず、緩衝材のみを前記隙間に直接詰めることもできる。
【先行技術文献】
【特許文献】
【０００３】
【特許文献１】特開２０００−１１８５７０号公報
【考案の概要】
【考案が解決しようとする課題】
【０００４】
特許文献１に示す緩衝材は、使用前の段階で既に三次元的に絡ませ合った状態となっているため嵩張りやすく、ある程度広い保管場所を確保しなければならない問題がある。また、緩衝材を袋から取り出して使用する場合に、緩衝材同士が絡まり合っているため、必要量の緩衝材を取り出しにくく、絡まり合ったその周囲の緩衝材まで一緒に取り出してしまうという問題もある。
【０００５】
そこで、この考案は、使用前の段階では緩衝材が嵩張らないようにするとともに、使用の際には、必要量の緩衝材をスムーズに取り出し得るようにすることを課題とする。
【課題を解決するための手段】
【０００６】
前記課題を解決するために、この考案では、所定形状の緩衝材と、この緩衝材を同一方向に揃えつつ積み重ねた状態で収納する箱体とを備え、この箱体に収納した前記緩衝材を必要量ずつ取り出し得るようにして緩衝材収納容器を構成した。
【０００７】
このように、使用前に、所定形状の緩衝材を同一方向に揃えつつ積み重ねた状態で収納することにより、緩衝材同士の間に間隙が生じにくく、嵩高くなるのを極力防止することができる。しかも、緩衝材を同一方向に揃えたことで、緩衝材同士の絡まり合いがほとんど生じないため、必要量（必要本数）だけをスムーズに取り出すことができる。個々の緩衝材の形状（縦横サイズ等）は、収納する物品の大きさ、形状等に対応して、適宜決定することができる。
【０００８】
前記構成においては、前記緩衝材を長尺ストレート形状とするのが好ましい。
【０００９】
長尺の緩衝材を撓ませることにより、緩衝材同士がしっかりと絡まり合う。すると、この緩衝材の間に形成された間隙が安定的に保たれて、高い緩衝作用が発揮される。さらに、緩衝材をストレート形状とすることにより、引っ掛かりなくスムーズに、箱体からこの緩衝材を取り出すことができる。
【００１０】
前記構成においては、前記箱体に、前記緩衝材の取り出し口を形成するのが好ましい。
【００１１】
このように取り出し口を形成しておけば、使用の度に箱体を開閉して緩衝材を取り出す必要がないため、使用の際の利便性が高まる。
【考案の効果】
【００１２】
この考案においては、所定形状の緩衝材を同一方向に揃えつつ積み重ねた状態で箱体に収納するようにした。このようにすることで、緩衝材が嵩張るのを防止するとともに、必要量だけを容易に取り出すことができる。このため、緩衝材の保管性及び使用の際の利便性が大幅に向上する。
【図面の簡単な説明】
【００１３】
【図１】本願考案に係る緩衝材収納容器を示す斜視図
【図２】図１に示す緩衝材収納容器の分解斜視図
【図３】図１に示す緩衝材収納容器の断面図
【図４】図１に示す緩衝材収納容器から緩衝材を取り出す状態を示す斜視図
【考案を実施するための形態】
【００１４】
この考案に係る緩衝材収納容器を図１から図４に示す。この緩衝材収納容器は、長尺ストレート状に裁断した紙製の緩衝材１と、この緩衝材１を同一方向に揃えつつ水平に積み重ねた状態で収納する箱体２とから構成される（図１を参照）。この緩衝材１の形状は収納する物品の大きさ、形状等に対応して適宜決定することができ、本実施形態では幅を数ｍｍ、長さを４０ｃｍ程度に切断したものを用いている。この緩衝材１の素材として、紙以外に樹脂材等も採用することができる。
【００１５】
この箱体２は、上面側が開口している箱本体３と、この箱本体３を収納する角筒状のカバー部４とで構成される（図２を参照）。カバー部４の上面には易破断部５を介して蓋部６が形成されており、使用の際にこの易破断部５を破断して蓋部６を取り外すことによって取り出し口７が形成される。
【００１６】
蓋部６及びカバー部４の端部には窪み部８が形成されていて、この窪み部８に指先を挿し込んで容易に易破断部５を破断して取り出し口７を形成したり、カバー部４に対して箱本体３を容易に抜き差ししたりし得るようにしている。
【００１７】
箱本体３の緩衝材１の収納方向両端部には、連設片９が設けられていて、この連設片９によって、箱本体３に収納した緩衝材１が不用意にこぼれ落ちないようにしている。
【００１８】
この箱体２に収納した緩衝材１は、できるだけ均一に水平方向に積み重ねられているのが好ましいが、図３に示すように、箱体２内において若干の粗密が生じているのは許容される。
【００１９】
箱体２に収納した緩衝材１を使用する際には、取り出し口７から指を指し入れて、必要量（必要本数）の緩衝材１を摘み、そのまま箱体２から取り出す（図４を参照）。この緩衝材１はストレート状に裁断され、箱本体３に同一方向に揃えつつ水平に積み重ねた状態で収納されているため、緩衝材１同士が絡まり合いにくく、その取り出しをスムーズに行うことができる。
【００２０】
箱体２から取り出した緩衝材１は、ほぼストレート状なので、このままでは緩衝材１同士の絡まり合いが生じにくく、十分な緩衝作用を発揮することができない。そこで、この緩衝材１を箱等に詰める前に手で握る等してある程度撓ませておき、緩衝材１同士が絡まり合いやすくしておく必要がある。
【００２１】
また、箱本体３に収納した緩衝材１に沿う方向の取り出し口７の長さを、緩衝材１の長さよりも十分短くしておけば、緩衝材１の取り出しの際に、その両端が取り出し口７の両端に扱かれて、ストレート状の緩衝材１に撓みが生じやすい。このため、取り出し後にこの緩衝材１を撓ませる作業が軽減して、取り出した緩衝材１を速やかに使用することができる。
【００２２】
上記のように、箱体２にストレート状の緩衝材１を一方向に揃えて収納し、必要に応じてこの箱体２から緩衝材１を取り出すようにすれば、使用前の段階においてこの緩衝材１が嵩張るのを防止することができ、しかも、使用の際には、所定量の緩衝材１をスムーズに取り出し得るようにすることができ、非常に利便性が高い。
【００２３】
上記の実施形態はあくまでも一例であって、緩衝材１、箱体２、取り出し口７等の各部の形状は、本願考案の課題を解決し得る限りにおいて、適宜変更できることは言うまでもない。
【符号の説明】
【００２４】
１  緩衝材
２  箱体
３  箱本体
４  カバー部
５  易破断部
６  蓋部
７  取り出し口
８  窪み部
９  連設片
【図１】
0003179537.tif 000003
【図２】
0003179537.tif 000004
【図３】
0003179537.tif 000005
【図４】
0003179537.tif 000006
【手続補正書】
【提出日】平成24年8月30日(2012.8.30)
【手続補正１】
【補正対象書類名】実用新案登録請求の範囲
【補正対象項目名】全文
【補正方法】変更
【補正の内容】
【実用新案登録請求の範囲】
【請求項１】
所定形状の緩衝材（１）と、この緩衝材（１）を絡まり合いが生じないように同一方向に揃えつつ積み重ねた状態で収納する箱体（２）とを備えた緩衝材収納容器。
【請求項２】
前記緩衝材（１）が、長尺ストレート形状をしている請求項１に記載の緩衝材収納容器。
【請求項３】
前記箱体（２）に、前記緩衝材（１）を取り出す取り出し口（７）を形成した請求項１又は２に記載の緩衝材収納容器。